(57)【要約】  シリンダーヘッド（１）には、点火プラグ取付孔（５）を囲むようにウォータージャケット（４）が形成される。吸排気ポート（７，８）と点火プラグ取付孔（５）との間の部分におけるウォータージャケット（４）の上面（１２〜１４）を、点火プラグ取付孔（５）の周囲のそれ以外の部分におけるウォータージャケット（４）の上面（１５〜１７）よりも低くして剛性を高めることで、筒内圧によるシリンダーヘッド（１）の変形を抑え、その変形に伴う点火プラグ取付孔（５）周囲の応力集中を緩和するようにした。
2012140722.tif 000002
【特許請求の範囲】
【請求項１】
吸気ポート、排気ポート、被冷却部材を取り付けるための取付孔、及びその取付孔の周囲に設けられたウォータージャケットを備える内燃機関のシリンダーヘッドにおいて、
前記吸気ポート及び前記排気ポートの少なくとも一方と前記取付孔との間の部分における前記ウォータージャケットの周りの剛性が、前記取付孔の周囲のそれ以外の部分における前記ウォータージャケットの周りの剛性よりも高くされてなる
ことを特徴とする内燃機関のシリンダーヘッド。
【請求項２】
吸気ポート、排気ポート、被冷却部材を取り付けるための取付孔、及びその取付孔の周囲に設けられたウォータージャケットを備える内燃機関のシリンダーヘッドにおいて、
前記吸気ポート及び前記排気ポートの少なくとも一方と前記取付孔との間の部分における前記ウォータージャケットの周りには、剛性を高めるための補強がなされてなる
ことを特徴とする内燃機関のシリンダーヘッド。
【請求項３】
前記補強は、前記吸気ポート及び前記排気ポートの少なくとも一方と前記取付孔との間の部分の前記ウォータージャケットの上面を、前記取付孔の周囲のそれ以外の部分の前記ウォータージャケットの上面よりも低くすることでなされてなる
請求項２に記載の内燃機関のシリンダーヘッド。
【請求項４】
前記補強は、前記ウォータージャケットの周囲の壁面に増肉を行うことでなされてなる
請求項２に記載の内燃機関のシリンダーヘッド。
【請求項５】
吸気ポート、排気ポート、被冷却部材を取り付けるための取付孔、及びその取付孔の周囲に設けられたウォータージャケットを備える内燃機関のシリンダーヘッドにおいて、
前記吸気ポート及び前記排気ポートの少なくとも一方と前記取付孔との間の部分の前記ウォータージャケットの上面は、前記取付孔の周囲のそれ以外の部分の前記ウォータージャケットの上面よりも低くされてなる
ことを特徴とする内燃機関のシリンダーヘッド。
【請求項６】
吸気ポート、排気ポート、被冷却部材を取り付けるための取付孔、及びその取付孔の周囲に設けられたウォータージャケットを備える内燃機関のシリンダーヘッドにおいて、
前記吸気ポート及び前記排気ポートの少なくとも一方と前記取付孔との間の部分における前記ウォータージャケットの壁面に増肉がなされてなる
ことを特徴とする内燃機関のシリンダーヘッド。
【発明の詳細な説明】
【技術分野】
【０００１】
本発明は、吸気ポート、排気ポート、被冷却部材を取り付けるための取付孔、及びその取付孔の周囲に設けられたウォータージャケットを備える内燃機関のシリンダーヘッドに関するものである。
【背景技術】
【０００２】
周知のように、内燃機関のシリンダーヘッドは、そのアッパーデッキとロアデッキとの間に、吸気ポート、排気ポート及び点火プラグ取付孔の周囲を通るウォータージャケットを備えている。そしてそうしたウォータージャケットを流れる冷却水により、シリンダーヘッドの冷却が行われている。【０００３】
そして従来、特許文献１には、隣接する２つのヘッドボルト通し孔を含む平面と点火プラグ取付孔との間に、アッパーデッキとロアデッキとを結合する柱状部を設けた構成のシリンダーブロックが提案されている。同文献に記載のシリンダーヘッドでは、柱状部の設置により、点火プラグ周りの応力を緩和しつつ、点火プラグ周りの冷却性能を確保するようにしている。【０００４】
なお、特許文献２には、ヘッドボルトボスと吸排気ポートとをロアデッキに設けられた厚肉部で結ぶことで、ロアデッキの強度を高めたシリンダーヘッドが記載されている。また特許文献３には、排気ポートの上流側開口部間を結ぶリブを、ロアデッキの上面に設け、そのリブにより剛性を高めたシリンダーヘッドが記載されている。
【先行技術文献】
【特許文献】
【０００５】
【特許文献１】特開２００９−２６４２６０号公報
【特許文献２】特開２００４−２１８４８１号公報
【特許文献３】特開２００３−３１０１５７号公報
【発明の概要】
【発明が解決しようとする課題】
【０００６】
ところで、内燃機関の運転中には、図６に示すように、筒内圧によって、点火プラグ取付孔５０の設けられた燃焼室の頂面部分が押し上げられる。そして、点火プラグ取付孔５０を中心に吸気ポート５１及び排気ポート５２が外側に開く向きの引っ張り応力が発生して、点火プラグ取付孔５０の周りに応力が集中することがある。【０００７】
その点、上記文献１のシリンダーヘッドでは、ヘッド両端部の補強しか行われないため、点火プラグ周りの応力緩和が不十分となることが考えられる。また、十分な強度を確保するため、柱状部の数を増やすことも考えられるが、そうした場合には、シリンダーヘッドの重量の増加を招いてしまう。【０００８】
なお、近年には、ターボチャージャーを用いた過給により最大出力を確保することで排気量を低減する、内燃機関のターボダウンサイジングが進められている。そうした内燃機関では、過給域の拡大により、広い運転領域で高い筒内圧が作用するため、シリンダーヘッドを取り巻く環境は、強度的にも、熱的にもシビアなものとなっている。【０００９】
本発明の目的は、筒内圧によるシリンダーヘッドの変形を抑え、その変形に伴う点火プラグ等の取付孔の周囲の応力集中を好適に緩和することのできる内燃機関のシリンダーヘッドを提供することにある。
【課題を解決するための手段】
【００１０】
上記課題を解決するため、吸気ポート、排気ポート、被冷却部材を取り付けるための取付孔、及びその取付孔の周囲に設けられたウォータージャケットを備える内燃機関のシリンダーヘッドとしての本発明は、吸気ポート及び排気ポートの少なくとも一方と取付孔との間の部分におけるウォータージャケットの周りの剛性を、取付孔の周囲のそれ以外の部分におけるウォータージャケットの周りの剛性よりも高めている。【００１１】
上記構成では、吸排気ポートと取付孔との間の部分の剛性が高められている。この剛性の高められる部分は、筒内圧による燃焼室の頂面部分の押し上げで外側に開く向きの引っ張り応力が発生する部分となっている。そのため、筒内圧によるシリンダーヘッドの変形を抑え、その変形に伴う取付孔周囲の応力集中を好適に緩和することができる。【００１２】
また上記課題を解決するため、吸気ポート、排気ポート、被冷却部材を取り付けるための取付孔、及びその取付孔の周囲に設けられたウォータージャケットを備える内燃機関のシリンダーヘッドとしてのもう一つの本発明は、吸気ポート及び排気ポートの少なくとも一方と取付孔との間の部分におけるウォータージャケットの周りに、剛性を高めるための補強を行っている。【００１３】
上記構成では、吸排気ポートと取付孔との間の部分の剛性が高められるようになる。この剛性の高められる部分は、筒内圧による燃焼室の頂面部分の押し上げで外側に開く向きの引っ張り応力が発生する部分となっている。そのため、筒内圧によるシリンダーヘッドの変形を抑え、その変形に伴う取付孔周囲の応力集中を好適に緩和することができる。【００１４】
なお、上記のような補強は、例えば吸排気ポートの少なくとも一方と取付孔との間の部分のウォータージャケットの上面を、取付孔の周囲のそれ以外の部分のウォータージャケットの上面よりも低くしたり、ウォータージャケットの周囲の壁面に増肉を行ったりすることで行うことができる。【００１５】
また上記課題を解決するため、吸気ポート、排気ポート、被冷却部材を取り付けるための取付孔、及びその取付孔の周囲に設けられたウォータージャケットを備える内燃機関のシリンダーヘッドとしての本発明は、吸気ポート及び排気ポートの少なくとも一方と取付孔との間の部分におけるウォータージャケットの上面を、取付孔の周囲のそれ以外の部分におけるウォータージャケットの上面よりも低くしている。【００１６】
上記構成では、ウォータージャケットの上面を下げることで、吸排気ポートと取付孔との間の部分の剛性が高められる。この剛性の高められた部分は、筒内圧による燃焼室の頂面部分の押し上げで外側に開く向きの引っ張り応力が発生する部分となっている。そのため、筒内圧によるシリンダーヘッドの変形を抑え、その変形に伴う取付孔周囲の応力集中を好適に緩和することができる。【００１７】
更に上記課題を解決するため、吸気ポート、排気ポート、被冷却部材を取り付けるための取付孔、及びその取付孔の周囲に設けられたウォータージャケットを備える内燃機関のシリンダーヘッドとしての本発明は、吸気ポート及び排気ポートの少なくとも一方と取付孔との間の部分におけるウォータージャケットの壁面に増肉を行っている。【００１８】
上記構成では、ウォータージャケットの壁面の増肉により、吸排気ポートと取付孔との間の部分の剛性が高められる。この剛性の高められる部分は、筒内圧による燃焼室の頂面部分が押し上げで外側に開く向きの引っ張り応力が発生する部分となっている。そのため、筒内圧によるシリンダーヘッドの変形を抑え、その変形に伴う取付孔周囲の応力集中を好適に緩和することができる。
【図面の簡単な説明】
【００１９】
【図１】本発明の第１の実施の形態に係る内燃機関のシリンダーヘッドの断面図であって、図中右下に示す模式平面図のＡ−Ａ線に沿った断面構造を示す断面図。
【図２】同実施の形態のシリンダーヘッドの断面図であって、図中右下に示す模式平面図のＢ−Ｂ線に沿った断面構造を示す断面図。
【図３】同実施の形態のシリンダーヘッドに形成されるウォータージャケットの上方から見た平面構造を示す平面図。
【図４】同実施の形態のシリンダーヘッドに形成されるウォータージャケットの斜視構造を部分的に示す斜視図
【図５】本発明の第２の実施の形態に係る内燃機関のシリンダーヘッドの断面構造を示す断面図。
【図６】従来の内燃機関のシリンダーヘッドにおける筒内圧に応じた引っ張り応力の作用態様を示す断面図。
【発明を実施するための形態】
【００２０】
（第１の実施の形態）
以下、本発明の内燃機関のシリンダーヘッドを具体化した第１の実施の形態を、図１〜図４を参照して詳細に説明する。なお、本実施の形態のシリンダーヘッドは、直列４気筒配列の内燃機関に適用されるものとなっている。
【００２１】
図１に示すように、シリンダーヘッド１の内部は、ロアデッキ２とアッパーデッキ３との２つのデッキによる２層構造とされている。ロアデッキ２とアッパーデッキ３との間には、冷却水が流れるウォータージャケット４が形成されている。
【００２２】
図２に示すように、シリンダーヘッド１の下部には、被冷却部材である点火プラグが取り付けられる点火プラグ取付孔５と、吸気ポート７及び排気ポート８の各ポートとが形成されている。なお、このシリンダーヘッド１には、各気筒に、１つの点火プラグ取付孔５と一対の吸気ポート７と一対の排気ポート８とがそれぞれ設けられている。
【００２３】
こうしたシリンダーヘッド１には、図３及び図４に示すような形状のウォータージャケット４が形成されている。なお、ウォータージャケット４は、点火プラグ取付孔５が通される部分９、吸気ポート７が通される部分１０、及び排気ポート８が通される部分１１を避けるように形成されている。
【００２４】
図４に示すように、このシリンダーヘッド１では、吸気ポート７及び排気ポート８と点火プラグ取付孔５との間の部分におけるウォータージャケット４の上面１２〜１４が、点火プラグ取付孔５の周りの他の部分におけるウォータージャケット４の上面１５〜１７よりも一段低く形成されている。そしてこれにより、吸気ポート７及び排気ポート８と点火プラグ取付孔５との間の部分の補強がなされ、その部分のウォータージャケット４の周りの剛性が高められている。こうした本実施の形態のシリンダーヘッド１は、図２に点線で示される従来のシリンダーヘッドの同様のウォータージャケットから同図２にハッチングで示される部分Ｃを割愛したものとなっている。
【００２５】
次に、以上のように構成されたシリンダーヘッド１の作用について説明する。
【００２６】
本実施の形態のシリンダーヘッド１を備える内燃機関でも、燃焼により発生する筒内圧によって、燃焼室の頂面にあたるシリンダーヘッド１の下面が上方に押し上げられる。そして、その押し上げにより、点火プラグ取付孔５を中心に吸気ポート７及び排気ポート８が外側に開く向きの引っ張り応力が発生する。ただし、このシリンダーヘッド１では、吸気ポート７及び排気ポート８と点火プラグ取付孔５との間の部分の剛性が高められており、このときのシリンダーヘッド１の変形が抑えられる。そしてその結果、筒内圧作用時の点火プラグ取付孔５の周囲の応力集中が緩和されるようになる。
【００２７】
以上説明した本実施の形態によれば、次の効果を奏することができる。
【００２８】
（１）本実施の形態では、点火プラグ取付孔５の周りにおいて、吸気ポート７及び排気ポート８と点火プラグ取付孔５との間の部分におけるウォータージャケット４の上面１２〜１４が、点火プラグ取付孔５の周囲のそれ以外の部分におけるウォータージャケット４の上面１５〜１７よりも低くされている。そしてこれにより、吸気ポート７及び排気ポート８と点火プラグ取付孔５との間の部分のウォータージャケット４の周りが補強され、その剛性が高められている。そのため、筒内圧によるシリンダーヘッド１の変形を抑え、その変形に伴う点火プラグ取付孔５の周囲の応力集中を好適に緩和することができる。
【００２９】
（２）本実施の形態では、剛性を高めながらも、燃焼室に近い点火プラグ取付孔５の下部の周囲には、ウォータージャケット４が残されている。そのため、点火プラグ取付孔５の周囲の剛性を高めて点火プラグ取付孔５の周りの応力集中を緩和しながらも、高温となる燃焼室側の部分の冷却性能を維持することができる。
【００３０】
（３）本実施の形態では、吸気ポート７及び排気ポート８と点火プラグ取付孔５との間の部分におけるウォータージャケット４の上面１２〜１４を低くしながらも、両排気ポート８の間の部分のウォータージャケット４の上面１７は高いままとされている。そのため、点火プラグ取付孔５の周囲の剛性を高めてその周囲の応力集中を緩和しながらも、高温となる排気ポート８の間の部分の冷却性能を維持することができる。
【００３１】
（第２の実施の形態）
続いて、本発明の内燃機関のシリンダーヘッドを具体化した第２の実施の形態を、図５を参照して詳細に説明する。なお、本実施の形態のシリンダーヘッドは、第１の実施の形態のシリンダーヘッドに対して、点火プラグ取付孔５の周囲に形成されるウォータージャケットの形状を変更しただけのものとなっている。そこで、本実施の形態では、第１の実施の形態のものと共通する構成については、同一の符号を付してその詳細な説明は省略する。
【００３２】
図５に示すように、本実施の形態のシリンダーヘッド２０にも、点火プラグ取付孔５の周囲を通って冷却水を流すようにウォータージャケット２１が形成されている。ただし、本実施の形態では、吸排気ポート７，８と点火プラグ取付孔５との間の部分でも、ウォータージャケット２１の上面は、点火プラグ取付孔５の周囲のそれ以外の部分のウォータージャケット２１の上面と同じ高さとなるように形成されている。
【００３３】
ただし、本実施の形態のシリンダーヘッド２０では、吸排気ポート７，８と点火プラグ取付孔５との間の部分におけるウォータージャケット２１の内周側の壁面２１ａに増肉による補強がなされている。同図５にハッチングで示される部分２２は、そうした増肉のなされた部分を示している。
【００３４】
次に、以上のように構成されたシリンダーヘッド２０の作用について説明する。
【００３５】
本実施の形態のシリンダーヘッド２０では、筒内圧が作用すると、燃焼室直上の点火プラグ取付孔５の周囲が押し上げられて、点火プラグ取付孔５を中心に吸気ポート７及び排気ポート８が外側に開くように変形する。このとき、このシリンダーヘッド２０では、増肉部２２を形成することで、吸気及び排気ポート７，８と点火プラグ取付孔５との間の部分の剛性が高められている。そのため、このシリンダーヘッド２０では、筒内圧の作用による変形が抑制されるようになり、その変形に伴う点火プラグ取付孔５周りの応力集中も緩和されるようになる。
【００３６】
以上説明した本実施の形態によれば、次の効果を奏することができる。
【００３７】
（４）本実施の形態では、吸気ポート７及び排気ポート８と点火プラグ取付孔５との間の部分におけるウォータージャケット４の壁面の増肉を行っている。そしてそれにより、吸気ポート７及び排気ポート８と点火プラグ取付孔５との間の領域のウォータージャケット４の周りが補強され、その剛性が高められている。そのため、筒内圧による点火プラグ取付孔５周囲の応力集中を好適に緩和することができる。
【００３８】
（５）本実施の形態では、ウォータージャケット２１の壁面を補強するための増肉を、ウォータージャケット２１の上部において行っている。そのため、吸排気ポート７，８と点火プラグ取付孔５との間の部分の剛性を高めながらも燃焼室に近い領域では、流路面積を縮小することなくウォータージャケット２１がそのまま残されるため、高温となる燃焼室側の領域の冷却性能を維持できる。
【００３９】
以上説明した各実施の形態は、次のように変更して実施することもできる。
【００４０】
・第２の実施の形態では、吸排気ポート７，８と点火プラグ取付孔５との間の部分におけるウォータージャケット２１の内周側に増肉を行うようにしていたが、同部分におけるウォータージャケット２１の外周側に増肉を行うようにしても良い。
【００４１】
・第２の実施の形態では、吸排気ポート７，８と点火プラグ取付孔５との間の部分におけるウォータージャケット２１の上部に増肉を行うようにしていたが、応力集中緩和のための剛性の確保に必要であれば、ウォータージャケット２１の下部にも増肉を行うようにしても良い。なお、冷却性能を確保するには、ウォータージャケット２１の下部の流路面積を広くすることが望ましい。そのため、ウォータージャケット２１の上部から下部にかけて増肉が必要な場合にも、下部の増肉量を少なくするとともに上部の増肉量を多くして、下部に向うほど幅が広くなるようにウォータージャケット２１を形成することが望ましい。
【００４２】
・上記実施の形態では、ウォータージャケット４の上面を低くしたり、増肉を行ったりすることで、吸排気ポート７，８と点火プラグ取付孔５との間の部分におけるウォータージャケット４、２１の周りの剛性を高めていた。そうした部分の剛性を高めるための補強を、例えば梁やリブを設けたり、そうした部分のウォータージャケット４、２１の周りを、それ以外の部分に比して剛性の高い材料で形成したりすることなど、他の補強方法で行うようにしても良い。
【００４３】
・上記実施の形態では、点火プラグ取付孔５と吸気ポート７との間の部分、及び点火プラグ取付孔５と排気ポート８との間の部分の双方に補強を行うようにしていたが、十分な応力集中の緩和が可能であれば、それらのいずれか一方の補強を省略するようにしても良い。
【００４４】
・上記実施の形態では、点火プラグの取り付けられる点火プラグ取付孔５を形成するようにしていたが、例えばディーゼルエンジンなどでは、点火プラグの代わりにインジェクターがシリンダーヘッドに取り付けられることがある。そうした場合にも、吸気ポート、排気ポートの少なくとも一方とインジェクター取付孔との間の部分におけるウォータージャケットの周りに補強を行えば、インジェクター取付孔の周囲の応力集中を緩和することが可能である。なお、その場合には、インジェクターが被冷却部材となる。
【００４５】
・上記実施の形態では、気筒毎に一対の吸気ポート７と一対の排気ポート８とをそれぞれ設けるようにしていたが、気筒毎の吸気ポート７及び排気ポート８の数や配置は、これに限らず、適宜に変更しても良い。
【００４６】
・上記実施の形態では、直列４気筒配列の内燃機関に本発明を適用した場合を説明したが、本発明はそれ以外の気筒配列の内燃機関にも同様に適用することができる。
【符号の説明】
【００４７】
１…シリンダーヘッド、２…ロアデッキ、３…アッパーデッキ、４…ウォータージャケット、５…点火プラグ取付孔（被冷却部材を取り付けるための取付孔）、７…吸気ポート、８…排気ポート、９…点火プラグ取付孔が通される部分、１０…吸気ポートが通される部分、１１…排気ポートが通される部分、１２〜１４…（吸排気ポートと点火プラグ取付孔との間の部分におけるウォータージャケットの）上面、１５〜１７…（点火プラグ取付孔の周囲のそれ以の部分のウォータージャケットの）上面、２０…シリンダーヘッド、２１…ウォータージャケット、２１ａ…ウォータージャケットの壁面、２２…増肉のなされた部分、５０…点火プラグ取付孔、５１…吸気ポート、５２…排気ポート。
【図１】
2012140722.tif 000003
【図２】
2012140722.tif 000004
【図３】
2012140722.tif 000005
【図４】
2012140722.tif 000006
【図５】
2012140722.tif 000007
【図６】
2012140722.tif 000008
【手続補正書】
【提出日】平成24年10月3日(2012.10.3)
【手続補正１】
【補正対象書類名】特許請求の範囲
【補正対象項目名】全文
【補正方法】変更
【補正の内容】
【特許請求の範囲】
【請求項１】
吸気ポート、排気ポート、被冷却部材を取り付けるための取付孔、及びその取付孔の周囲に設けられたウォータージャケットを備える内燃機関のシリンダーヘッドにおいて、
前記取付孔は、一つの気筒に対応して一つ設けられ、
前記吸気ポートと前記取付孔との間の部分における前記ウォータージャケットの上面、及び前記排気ポートと前記取付孔との間の部分における前記ウォータージャケットの上面の少なくとも一方は、一つの前記気筒に対応して設けられる前記排気ポート同士の間の部分における前記ウォータージャケットの上面よりも低くされてなる
ことを特徴とする内燃機関のシリンダーヘッド。
【請求項２】
吸気ポート、排気ポート、被冷却部材を取り付けるための取付孔、及びその取付孔の周囲に設けられたウォータージャケットを備える内燃機関のシリンダーヘッドにおいて、
前記取付孔は、一つの気筒に対応して一つ設けられ、
前記吸気ポートと前記取付孔との間の部分における前記ウォータージャケットの上面、及び前記排気ポートと前記取付孔との間の部分における前記ウォータージャケットの上面の少なくとも一方は、一つの前記気筒に対応して設けられる前記排気ポート同士の間の部分における前記ウォータージャケットの上面、及び一つの前記気筒に対応して設けられる前記吸気ポートと一つの前記気筒に対応して設けられる前記排気ポートとの間の部分における前記ウォータージャケットの上面よりも低くされてなる
ことを特徴とする内燃機関のシリンダーヘッド。
【手続補正書】
【提出日】平成25年10月9日(2013.10.9)
【手続補正１】
【補正対象書類名】明細書
【補正対象項目名】０００５
【補正方法】変更
【補正の内容】
【０００５】
【特許文献１】特開２００９−２６４２６０号公報
【特許文献２】特開２００４−２１８４８１号公報
【特許文献３】特開２０００−３１０１５７号公報
【国際調査報告】
2012140722.tif 000009
2012140722.tif 000010